(57)【要約】【課題】画像形成装置の外観形状に制約を受けることなくその小型化も可能であり、画像形成装置の印字速度も低下することなく、記録ヘッドの移動に基づく振動やその他の原因による振動から画像形成装置の画像品質が低下するおそれをなくす。【解決手段】読取走行体（第１走行体）５４を移動して搬送原稿読取位置Ｒで停止し、その搬送原稿読取位置を通過する読み取り原稿の画像内容を、ＤＦ用原稿ガラス５３を通して読取走行体で読み取る。そのような画像読取装置において、搬送原稿情報読取時に搬送原稿読取位置で、読取走行体をＤＦ用原稿ガラスに押し当てる走行体押し当て手段（ソレノイド）７０が設けられている。走行体押し当て手段７０により、読取走行体を、ＤＦ用原稿ガラスの支持部材である例えば画像読取装置５０の筐体５１などに押し当てるようにしてもよい。【選択図】図４
2009212628.tif 000002
【特許請求の範囲】
【請求項１】
読取走行体を移動して搬送原稿読取位置で停止し、その搬送原稿読取位置を通過する原稿の画像内容を、ＤＦ用原稿ガラスを通して前記読取走行体で読み取る画像読取装置において、
搬送原稿情報読取時に前記搬送原稿読取位置で、前記読取走行体を、前記ＤＦ用原稿ガラスまたはその支持部材に押し当てる走行体押し当て手段が設けられていることを特徴とする画像読取装置。
【請求項２】
前記走行体押し当て手段としてソレノイドが使用されていることを特徴とする、請求項１に記載の画像読取装置。
【請求項３】
前記読取走行体を前記搬送原稿読取位置としたとき、前記読取走行体を走行する駆動源から前記読取走行体への駆動伝達が遮断されることを特徴とする、請求項１または２に記載の画像読取装置。
【請求項４】
前記走行体押し当て手段で前記読取走行体を、前記ＤＦ用原稿ガラスまたはその支持部材に押し当てたとき、互いに嵌合する嵌合部が、前記読取走行体と、前記ＤＦ用原稿ガラスまたはその支持部材に形成されていることを特徴とする、請求項１ないし３のいずれか１に記載の画像読取装置。
【請求項５】
請求項１ないし４のいずれか１に記載の画像読取装置が備えられていることを特徴とする画像形成装置。
【発明の詳細な説明】
【技術分野】
【０００１】
この発明は、読取走行体を移動して搬送原稿読取位置で停止し、その搬送原稿読取位置を通過する原稿の画像内容を、ＤＦ用原稿ガラスを通して読取走行体により読み取る画像読取装置に関する。および、そのような画像読取装置を備える、複写機、ファクシミリ、またはそれらの複合機などの画像形成装置に関する。
【背景技術】
【０００２】
従来、複写機には、例えば、インクジェットヘッド等の記録ヘッドを有する作像装置と、読み取り原稿を搬送する原稿搬送装置と、その原稿搬送装置で搬送する原稿の画像内容を読み取る画像読取装置とが備えられている。画像読取装置には、読取走行体が走行可能に設けられ、読み取り原稿をコンタクトガラス上にセットした場合には、その走行体が、コンタクトガラスに沿って走行されることにより原稿の画像内容が読み取られ、他方、読み取り原稿を原稿搬送装置で搬送する場合には、読取走行体を移動して搬送原稿読取位置で停止し、その搬送原稿読取位置を通過する原稿の画像内容が、ＤＦ用原稿ガラスを通して読取走行体により読み取られ、その読取内容が作像装置で記録ヘッドを用いて用紙等の記録媒体に記録されていた。
【０００３】
ところが、この種の画像形成装置にあっては、作像を行うために記録ヘッドを移動するとき振動を発生して、その振動が画像読取装置の読み取りに悪影響を及ぼし、画像品質を低下する問題があった。
【０００４】
このような問題を解決するため、従来の画像形成装置の中には、例えば特許文献１に記載されるように、画像を記録するインクジェットヘッドを備えた記録部と、画像内容を読み取る読取部とを互いに別個のフレームに取り付けて本体ケースで支持し、記録部側のフレームと本体ケースの底板との間に防振ゴムを介在したものがある。これにより、記録部のインクジェットヘッドの移動に基づく振動が、フレームを介して防振ゴムで吸収され、記録部側のレンズやミラーなどに伝わることなく、画像読取装置の読み取りに悪影響を及ぼさないようにしたものがある。
【０００５】
また、例えば特許文献２に記載されるように、読み取り中には、インクジェットヘッドが移動しないように制御されるものもある。
【０００６】
【特許文献１】実開平６‐３６４０号公報
【特許文献２】特開２００１‐３３４６４８号公報
【発明の開示】
【発明が解決しようとする課題】
【０００７】
ところが、特許文献１に記載されるような方法では、記録部と読取部とを別のフレームに取り付ける必要があるから、画像形成装置の外観形状に制約が生ずるとともに、画像形成装置の小型化の妨げとなる問題があった。また、特許文献２に記載されるような方法では、読み取り中に印字動作を行うことができないから、画像形成装置の印字速度が低下する問題があった。
【０００８】
そこで、この発明の目的は、上述の問題を解消して、画像形成装置の外観形状に制約を受けることなくその小型化も可能であり、画像形成装置の印字速度も低下することなく、記録ヘッドの移動に基づく振動やその他の原因による振動から画像形成装置の画像品質が低下するおそれをなくすことにある。
【０００９】
この発明の第２の目的は、小型にして簡単な構成にて、安価に同目的を達成することにある。
【００１０】
この発明の第３の目的は、読取走行体の移動を行うワイヤやベルトなどの牽引手段を介して振動が伝播されることを防いで、記録ヘッドの移動に基づく振動から画像品質が低下するおそれを一層確実に防止することにある。
【００１１】
この発明の第４の目的は、読取走行体を位置振れなくなお一層しっかりと固定して、記録ヘッドの移動に基づく振動の影響をより軽減することにある。
【課題を解決するための手段】
【００１２】
この発明の第１の態様は、
読取走行体を移動して搬送原稿読取位置で停止し、その搬送原稿読取位置を通過する読み取り原稿の画像内容を、ＤＦ用原稿ガラスを通して読取走行体で読み取る画像読取装置において、
搬送原稿情報読取時に搬送原稿読取位置で、読取走行体を、ＤＦ用原稿ガラスまたはその支持部材である例えば画像読取装置の筐体などに押し当てる走行体押し当て手段が設けられていることを特徴とする。
【００１３】
そして、搬送原稿情報読取時には、読取走行体を移動して搬送原稿読取位置で停止し、その搬送原稿読取位置で、読取走行体を走行体押し当て手段により、ＤＦ用原稿ガラスまたはその支持部材に押し当てて固定し、搬送原稿読取位置を通過する原稿の画像内容を、ＤＦ用原稿ガラスを通して読取走行体で読み取る。
【００１４】
走行体押し当て手段としては、ソレノイドが使用されているとよい。また、読取走行体を搬送原稿読取位置としたときには、駆動源であるステップモータの励磁を切るなどして、読取走行体を走行する駆動源から読取走行体への駆動伝達が遮断されるようにするとよい。さらに、走行体押し当て手段で読取走行体を、ＤＦ用原稿ガラスまたはその支持部材に押し当てたとき、互いに嵌合する嵌合部が、読取走行体と、ＤＦ用原稿ガラスまたはその支持部材に形成されているとよい。
【００１５】
この発明の第２の態様は、請求項１ないし４のいずれか１に記載の画像読取装置が備えられていることを特徴とする、複写機、ファクシミリなどの画像形成装置である。
【発明の効果】
【００１６】
この発明の第１の態様の画像読取装置によれば、搬送原稿情報読取時に、読取走行体を移動して搬送原稿読取位置で停止し、その搬送原稿読取位置で、読取走行体を走行体押し当て手段により、ＤＦ用原稿ガラスまたはその支持部材に押し当てて固定し、搬送原稿読取位置を通過する原稿の画像内容を、ＤＦ用原稿ガラスを通して読取走行体で読み取るようにするので、画像形成装置に備えて使用するとき、作像装置の記録ヘッドの移動に基づく振動やその他の原因による振動から画像形成装置の画像品質が低下するおそれをなくすことができる。作像装置と離して設ける必要がないから、画像形成装置の外観形状に制約を受けることなく、その小型化も可能であり、また読み取り中も印字を行うことができるから、画像形成装置の印字速度も低下することがない。搬送原稿と読取走行体の距離のばらつきをなくして、焦点ずれなどの影響も低減し、画像品質を高めることができる。
【００１７】
走行体押し当て手段として、ソレノイドが使用されていると、小型にして簡単な構成にて、安価とすることができる。また、読取走行体を搬送原稿読取位置としたとき、読取走行体を走行する駆動源から読取走行体への駆動伝達が遮断されるようにすると、読取走行体の移動を行うワイヤやベルトなどの牽引手段を介して振動が伝播されることを防いで、記録ヘッドの移動に基づく振動から画像品質が低下するおそれを一層確実に防止することができる。
【００１８】
さらに、走行体押し当て手段で読取走行体を、ＤＦ用原稿ガラスまたはその支持部材に押し当てたとき、互いに嵌合する嵌合部が、読取走行体と、ＤＦ用原稿ガラスまたはその支持部材に形成されていると、搬送原稿情報読取時に、読取走行体を位置振れなくなお一層しっかりと固定して、記録ヘッドの移動に基づく振動の影響をより軽減することができる。
【００１９】
この発明の第２の態様の画像形成装置によれば、搬送原稿情報読取時に、読取走行体を移動して搬送原稿読取位置で停止し、その搬送原稿読取位置で、読取走行体を走行体押し当て手段により、ＤＦ用原稿ガラスまたはその支持部材に押し当てて固定し、搬送原稿読取位置を通過する原稿の画像内容を、ＤＦ用原稿ガラスを通して読取走行体で読み取るようにするので、作像装置の記録ヘッドの移動に基づく振動やその他の原因による振動から、画像品質が低下するおそれをなくすことができる。画像読取装置を作像装置と離して設ける必要がないから、外観形状に制約を受けることなく、画像形成装置の小型化も可能であり、また読み取り中も印字を行うことができるから、印字速度も低下することがない。搬送原稿と読取走行体の距離のばらつきをなくして、焦点ずれなどの影響も低減し、画像品質を高めることができる。
【発明を実施するための最良の形態】
【００２０】
以下、図面を参照しつつ、この発明の実施の最良形態につき説明する。
図１には、この発明に係る画像形成装置の一例であるインクジェット式複写機を示す。図示複写機には、記録ヘッドとして不図示のインクジェットヘッドを有する作像装置１０と、読み取り原稿を搬送する原稿搬送装置３０と、その原稿搬送装置３０で搬送する原稿の画像内容を読み取る画像読取装置５０とが備えられている。
【００２１】
図２には、原稿搬送装置３０と画像読取装置５０の概略構成を示す。
原稿搬送装置３０は、筐体３１の下面に原稿押さえ板３２が設けられ、筐体３１の上面には傾斜して排紙トレイ３３が形成されている。そして、排紙トレイ３３上に位置して原稿台３４が筐体３１に、排紙トレイ３３とほぼ同じ角度で傾斜して着脱自在に取り付けられている。原稿台３４には、原稿ガイド３５が設けられている。そうして、画像読取装置５０上において、後縁側を支点として、手前側が上下に開閉自在に備えられている。
【００２２】
このような原稿搬送装置３０には、原稿台３４から排紙トレイ３３上に向けて、原稿台３４上の原稿を、搬送原稿読取位置Ｒを通して湾曲して搬送して排紙トレイ３３上に排出する搬送路３６が形成されている。搬送路３６には、原稿台３４側から順に、呼び出しコロ３７、搬送コロ３８と従動コロ３９間に掛けまわした搬送ベルト４０、搬送ベルト４０の周面が押し付けられる分離コロ４１、第１搬送ローラ４２、搬送原稿読取位置Ｒの反射ガイド板４３、第２搬送ローラ４４、排紙ローラ４５などが設けられている。
【００２３】
他方、画像読取装置５０には、筐体５１の上面に、閉じた原稿搬送装置３０の原稿押さえ板３２と対向する大きなコンタクトガラス５２が取り付けられ、その片縁に沿って搬送原稿読取位置Ｒに、反射ガイド板４３と対向して帯状のＤＦ用原稿ガラス５３が取り付けられている。筐体５１内には、コンタクトガラス５２に沿って走行自在に、読取走行体である第１走行体５４と、その１／２の速さで走行する第２走行体５５とが備えられている。第１走行体５４には、光源５６と第１ミラー５７とが搭載されている。第２走行体５５には、第２ミラー５８と第３ミラー５９とが搭載されている。また、筐体５１内には、レンズ６０とＣＣＤ駆動ユニット６１とが設置され、第１走行体５４と第２走行体５５とを走行する駆動源として２つのステップモータ６２Ａ、６２Ｂが固定されている。
【００２４】
図３には、画像読取装置５０の内部構成を示す。
一方のステップモータ６２Ａの駆動軸には、一方の駆動プーリ６３Ａが取り付けられている。一方の駆動プーリ６３Ａには、一方の段付きプーリ６４Ａの大プーリとの間に一方の第１駆動ベルト６５Ａが掛けまわされている。一方の段付きプーリ６４Ａの小プーリと一方のアイドラプーリ６６Ａとの間には、一方の第２駆動ベルト６７Ａが掛けまわされている。
【００２５】
同様に、他方のステップモータ６２Ｂの駆動軸には、他方の駆動プーリ６３Ｂが取り付けられている。他方の駆動プーリ６３Ｂには、他方の段付きプーリ６４Ｂの大プーリとの間に他方の第１駆動ベルト６５Ｂが掛けまわされている。他方の段付きプーリ６４Ｂの小プーリと他方のアイドラプーリ６６Ｂとの間には、他方の第２駆動ベルト６７Ｂが掛けまわされている。
【００２６】
そして、一方の第１駆動ベルト６５Ａと他方の第１駆動ベルト６５Ｂとは互いに平行に張り渡されて、それら第１走行体５４の異なる端部がそれぞれ取り付けられてそれらの両ベルト６５Ａ、６５Ｂと直交するように第１走行体５４が掛け渡されている。また、一方の第２駆動ベルト６７Ａと他方の第２駆動ベルト６７Ｂとも互いに平行に張り渡されて、それらに第２走行体５５の異なる端部がそれぞれ取り付けられてそれらの両ベルト６７Ａ、６７Ｂと直交するように第２走行体５５が掛け渡されている。
【００２７】
これにより、２つのステップモータ６２Ａ、６２Ｂが同期して駆動され、第１駆動ベルト６５Ａ、６５Ｂおよび第２駆動ベルト６７Ａ、６７Ｂを介して、第１走行体５４と第２走行体５５とが走行される。
【００２８】
いま、図示複写機を用いてコピーを取るときには、原稿搬送装置３０を開いてコンタクトガラス５２上に読み取り原稿をセットして後、再び原稿搬送装置３０を閉じて原稿押さえ板３２で原稿を上から押さえる。その後、複写機の不図示のスタートスイッチを操作し、２つのステップモータ６２Ａ、６２Ｂを駆動して第１走行体５４と第２走行体５５とをコンタクトガラス５２に沿って走行することにより原稿の画像内容を読み取り、その読取内容が作像装置１０のインクジェットヘッドを用いて用紙等の記録媒体に記録されて、不図示の排紙トレイ上に排出される。
【００２９】
読み取り原稿を原稿搬送装置３０の原稿台３４上にセットして不図示のスタートスイッチを操作した場合には、画像読取装置５０で第１走行体５４を移動して搬送原稿読取位置Ｒで停止するとともに、呼び出しコロ３７で原稿を送り込んで搬送ベルト４０で搬送しながら分離コロ４１で一枚ずつ分離し、第１搬送ローラ４２で搬送して搬送原稿読取位置Ｒに送り込む。その搬送原稿読取位置Ｒを通過する原稿の画像内容を、ＤＦ用原稿ガラス５３を通して第１走行体５４により読み取り、その読取内容が作像装置１０でインクジェットヘッドを用いて用紙等の記録媒体に記録されて、不図示の排紙トレイ上に排出される。他方、画像読取後の原稿は、第２搬送ローラ４４で搬送されて排紙ローラ４５で排紙トレイ３３上に排出される。なお、呼び出しコロ３７、搬送コロ３８、分離コロ４１、第１搬送ローラ４２、第２搬送ローラ４４、排紙ローラ４５などは、図示されないステップモータによって回転駆動される。
【００３０】
ところで、この発明では、図１に示すように、搬送原稿情報読取時に搬送原稿読取位置Ｒで、読取走行体である第１走行体５４を、ＤＦ用原稿ガラス５３またはその支持部材である筐体５１に押し当てる走行体押し当て手段７０が設けられている。走行体押し当て手段７０としては、例えば図示例のようにソレノイドが使用される。そして、搬送原稿情報読取時には、第１走行体５４を移動して搬送原稿読取位置Ｒで停止し、その搬送原稿読取位置Ｒで、第１走行体５４を走行体押し当て手段７０により、ＤＦ用原稿ガラス５３またはその支持部材である筐体５１に押し当てて固定し、搬送原稿読取位置Ｒを通過する原稿の画像内容を、ＤＦ用原稿ガラス５３を通して第１走行体５４で読み取る。
【００３１】
このようにすると、作像装置１０のインクジェットヘッドの移動に基づく振動やその他の原因による振動から複写機の画像品質が低下するおそれをなくすことができる。画像読取装置５０を作像装置１０と離して設ける必要がないから、複写機の外観形状に制約を受けることなく、その小型化も可能であり、また読み取り中も印字を行うことができるから、複写機の印字速度も低下することがない。第１走行体５４をＤＦ用原稿ガラス５３またはその支持部材である筐体５１に押し当てることで、搬送原稿と第１走行体５４との距離がばらつかないようにして、焦点ずれなどの影響も低減し、画像品質を高めることができる。
【００３２】
図示例のように、走行体押し当て手段７０としてソレノイドが使用されていると、小型にして簡単な構成にて、安価とすることができる。また、第１走行体５４を搬送原稿読取位置Ｒとしたときは、第１走行体５４を走行する駆動源であるステップモータ６２Ａ、６２Ｂの励磁を切るなどして、ステップモータ６２Ａ、６２Ｂから第１走行体５４への駆動伝達が遮断されるようにすると、第１走行体５４の移動を行うワイヤやベルトなどの牽引手段を介して振動が伝播されることを防いで、インクジェットヘッドの移動に基づく振動から画像品質が低下するおそれを一層確実に防止することができる。
【００３３】
図４には、第１走行体５４とＤＦ用原稿ガラス５３に形成する嵌合部構成を示す。
例えば図示するように、第１走行体５４には、凸部７２が形成され、ＤＦ用原稿ガラス５３には、走行体押し当て手段７０で第１走行体５４をＤＦ用原稿ガラス５３に押し当てたとき、その凸部７２が緩みなくはまり込んで互いに嵌合する嵌合する凹部７３が形成されるようにするとよい。図示例では、第１走行体５４とＤＦ用原稿ガラス５３との間に互いに嵌合する嵌合部７２、７３を形成したが、第１走行体５４と、ＤＦ用原稿ガラス５３を支持する筐体５１との間に互いに嵌合する嵌合部を形成するようにしてもよい。
【００３４】
このようにすると、搬送原稿情報読取時に、第１走行体５４をＤＦ用原稿ガラス５３またはその支持部材である筐体５１に押し当てて位置振れなくなお一層しっかりと固定し、第１走行体５４を確実に位置決めして、インクジェットヘッドの移動に基づく振動などの影響をより軽減することができる。
【図面の簡単な説明】
【００３５】
【図１】この発明に係る画像形成装置の一例であるインクジェット式複写機の概略構成図である。
【図２】その複写機に備える原稿搬送装置と画像読取装置の概略構成図である。
【図３】その画像読取装置の内部構成図である。
【図４】その第１走行体とＤＦ用原稿ガラスに形成する嵌合部構成図である。
【符号の説明】
【００３６】
１０    作像装置
３０    画像搬送装置
５０    画像読取装置
５１    筐体（支持部材）
５３    ＤＦ用原稿ガラス
５４    第１走行体（読取走行体）
６２Ａ  ステップモータ（駆動源）
６２Ｂ  ステップモータ（駆動源）
７０    走行体押し当て手段
７２    凸部（嵌合部）
７３    凹部（嵌合部）
Ｒ      搬送原稿読取位置
【図１】
2009212628.tif 000003
【図２】
2009212628.tif 000004
【図３】
2009212628.tif 000005
【図４】
2009212628.tif 000006